(57)【要約】【課題】スナッピーのストレイナー装置に対する取付け、取外し作業が容易で、ドラムヘッドの交換時にスナッピーの張力を再調節する必要がなくドラムヘッドの交換作業を容易かつ短時間に行うことができるようにしたドラム用ストレイナー装置を提供する。【解決手段】スナッピー７の端部に取付けられている紐状の連結部材１３を第１、第２の挟持部材７０，７１によって挟持する。連結部材１３は、第２の挟持部材７１の押圧部８５によって押圧され、第１の挟持部材７０の挟持締結部７０Ｂに形成した各係止溝８０内に固定される。第２の挟持部材７１は、前記第１の挟持部材７０の挟持部７０Ｂに重ね合わされて２本の締付け角ボルト７７により挟持締結部７０Ｂに固定される。第１の挟持部材７０のベース固定部７０Ａは、スライドベース３０の固定部３０Ｂに嵌合され、１本の締付け角ボルト７４によって固定される。裏面側ドラムヘッドを交換するときは、締付け角ボルト７４を緩めて第１の挟持部材７０を移動ベース３０から外す。【選択図】  図３
2005202063.tif 000002
【特許請求の範囲】
【請求項１】
ドラムの胴本体の外周面の対向する位置に取付けられる第１、第２のストレイナーによってスナッピーをドラムヘッドに対して選択的に接触離間させるストレイナー装置において、
前記第１のストレイナーは、少なくとも、
前記胴本体の外周面に固定される第１の固定ベースと、
前記第１の固定ベースに移動自在に取付けられる移動ベースと、
前記移動ベースを前記第１の固定ベースに対して移動させることにより、前記スナッピーを前記ドラムヘッドに対して接触または離間させるスイッチ機構と、
前記スナッピー側に設けられ、前記スナッピーの一端側に設けられている可動性を有する連結部材を挟持する第１、第２の挟持部材とを備え、
前記第１の挟持部材に挟持締結部とベース固定部とを設け、前記ベース固定部を前記移動ベースに対して着脱可能に固定したことを特徴とするストレイナー装置。
【請求項２】
ドラムの胴本体の外周面の対向する位置に取付けられる第１、第２のストレイナーによってスナッピーをドラムヘッドに対して選択的に接触離間させるストレイナー装置において、
前記第２のストレイナーは、少なくとも、
前記胴本体の外周面に固定される第２の固定ベースと、
前記スナッピー側に設けられ、前記スナッピーの他端側に設けられている可撓性を有する連結部材を挟持する第１、第２の挟持部材とを備え、
前記第１の挟持部材に挟持締結部とベース固定部とを設け、前記ベース固定部を前記第２の固定ベースに対して着脱可能に固定したことを特徴とするストレイナー装置。
【請求項３】
請求項１または２記載のストレイナー装置において、
第１の挟持部材の挟持締結部にスナッピーの連結部材が挿通される挿通孔と、係止溝を形成し、第２の挟持部材に前記連結部材を押圧し前記係止溝内に固定する押圧部を一体に突設したことを特徴とするストレイナー装置。
【請求項４】
請求項１記載のストレイナー装置において、
第１のストレイナーは、スナッピーの張力を調節する張力調節装置を備え、前記張力調節装置による移動ベースの移動調節量を示す目盛を前記移動ベースに表示したことを特徴とするストレイナー装置。
【請求項５】
請求項１〜４のうちのいずれか１つに記載のストレイナー装置において、
第１の挟持部材のベース固定部と移動ベースもしくは第２の固定ベースに互いに嵌合する位置決め用の凹凸部を設けたことを特徴とするストレイナー装置。
【発明の詳細な説明】
【技術分野】
【０００１】
本発明は、スナッピーをドラムヘッドに対して選択的に接触離間させるストレイナー装置に関するものである。
【背景技術】
【０００２】
スネアードラムは、複数本の細い響線で構成されたスナッピーをストレイナー装置によって非打面側、すなわち裏面側ドラムヘッドまたは打面側（表面側）ドラムヘッドと裏面側ドラムヘッドの双方に対して選択的に接触離間させることにより、ドラムヘッドの振動を響線に伝えて楽器に特有なパラパラという軽快な音色をもたらす、いわゆるタブリング効果と称する特殊音響効果を得るようにしている（例えば、特許文献１，２，３参照）。
【特許文献１】実公昭５８−５０３７２号公報
【特許文献２】米国特許明細書第６００８４４５号
【特許文献３】米国特許明細書第５８４４１５７号
【０００３】
図８は裏面側のドラムヘッドに対してスナッピーを装着した従来のスネアードラムを示す外観斜視図、図９はスナッピーのストレイナー装置に対する取付構造を示す分解斜視図である。これらの図において、１はスネアドラム、２は両端が開放した円筒状の胴本体、３は胴本体２の裏面側開口部を覆う裏面側ドラムヘッド、４は胴本体２の各開口端部に嵌装されたフープ（締枠）、５はラグ、６はフープ４とラグ５を連結する締めボルト、７は裏面側ドラムヘッド３に対して取付けられるスナッピー、８はスナッピー７の可動側端部７Ａを保持する第１のストレイナー、９はスナッピー７の固定側端部７Ｂを保持する第２のストレイナーで、これらのストレイナーによってストレイナー装置を構成している。
【０００４】
前記スナッピー７は、長手方向と直交する方向に所定の間隔を保って並設された複数本の細い響線１１と、これら響線１１の各端部がそれぞれ半田付けによって固定された左右一対のスナッピープレート１２と、各スナッピープレート１２にそれぞれ取付けられた可撓性を有する連結部材１３とで構成されている。連結部材１３は紐またはワイヤからなり、前記第１のストレイナー８と第２のストレイナー９に対してそれぞれ一対の挾持板１４Ａ，１４Ｂによって挟持され着脱可能に連結されている。
【０００５】
前記第１のストレイナー８は、スナッピー７の可動端部７Ａを裏面側ドラムヘッド３に対して選択的に接触離間させるもので、胴本体２の外周に固定された固定ベース１５と、この固定ベース１５に対して進退移動自在（図９矢印Ａ、Ｂ方向）に取付けられた移動ベース１６と、この移動ベース１６を前記固定ベース１５に対して進退移動させ前記スナッピー７の可動側端部７Ａを裏面側ドラムヘッド３に対して接触または離間させるスイッチ機構１７と、前記移動ベース１６を同じく前記固定ベース１５に対して進退移動させ前記スナッピー７の張力を調節する張力調節用ねじ１８とで構成されている。前記一対の挟持板１４Ａ，１４Ｂは、前記連結部材１３を挟持した状態で移動ベース１６の先端部に２本の締付け角ボルト１９により共締め固定されている。
【０００６】
前記第２のストレイナー９は、スナッピー７の固定側端部７Ｂが単に連結されているだけであり、固定側端部７Ｂを裏面側ドラムヘッド３に対して接触離間させたり、張力を調節することがないため、前記第１のストレイナー８に比べて簡素に形成されている。具体的には、胴本体２に固定される固定ベースのみで構成され、前記移動ベース１６、スイッチ機構１７および張力調節用ねじ１８を備えていない点で第１のストレイナー８と構造が異なっている。ただし、スナッピー７の固定端側７Ｂに設けられている紐状の連結部材１３が一対の挟持部材１４Ａ，１４Ｂを介して連結されることは、第１のストレイナー８と同じである。
【０００７】
このようなストレイナー装置の第１、第２のストレイナー８，９に対するスナッピー７の取付構造において、スナッピー７を使用しないで演奏するときは、第１のストレイナー８のスイッチ機構１７によって移動ベース１６を前進（裏面側ドラムヘッド３方向に移動）させることにより、スナッピー７の響線１１を裏面側ドラムヘッド３から離間させておく。一方、使用時にはスイッチ機構１７により移動ベース１６を後退させて響線１１を裏面側ドラムヘッド３の表面に接触させる。したがって、この接触状態で表面側のドラムヘッドを打撃すると、その振動が裏面側ドラムヘッド３を介して響線１１に伝達されるため、響線１１も振動して楽器に特有なパラパラという軽快な音色の特殊音響効果が得られる。
【発明の開示】
【発明が解決しようとする課題】
【０００８】
しかしながら、上記した従来の第１、第２のストレイナー８，９に対するスナッピー７の取付構造は、スナッピー７の各端部に設けられている連結部材１３を一対の挟持部材１４Ａ，１４Ｂによって挟持し、これら挟持部材１４Ａ，１４Ｂを２本の締付け角ボルト１９によって移動ベース１６（または固定ベース）の先端部に共締め固定しているため、裏面側ドラムヘッド３を他のドラムヘッドと交換するとき、２本のボルト１９を外して連結部材１３を一対の挟持部材１４Ａ，１４Ｂから外さないと、裏面側ドラムヘッド３を交換することができず、また、交換後は再び連結部材１３を一対の挟持部材１４Ａ，１４Ｂによって挟持し、これら挟持部材１４Ａ，１４Ｂを２本の締付け角ボルト１９によって移動ベース１６（または固定ベース）に固定しなければならないため、その作業が煩わしという問題があった。
また、ヘッド交換時に一対の挟持部材１４Ａ，１４Ｂによる連結部材１３の挟持状態を一旦解除しなければならないため、裏面側ドラムヘッド３を交換してスナッピー７を再度取付けるとき、連結部材１３と挟持部材１４Ａ，１４Ｂとの位置関係を操作してスナッピー７の張力を大きく再調節する必要があり、裏面側ドラムヘッド３の交換作業に長時間を要する。また、他の種類の響線（スナッピー）に交換しようとする場合も同様の手間を要する。
【０００９】
本発明は上記した従来の問題を解決するためになされたもので、その目的とするところは、スナッピーのストレイナー装置に対する取付け、取外し作業が容易で、ヘッド交換時に響線の張力を大きく再調節する必要がなくドラムヘッドの交換作業を容易かつ短時間に行うことができるようにしたストレイナー装置を提供することにある。
【課題を解決するための手段】
【００１０】
上記目的を達成するために第１の発明は、ドラムの胴本体の外周面の対向する位置に取付けられる第１、第２のストレイナーによってスナッピーをドラムヘッドに対して選択的に接触離間させるストレイナー装置において、前記第１のストレイナーは、少なくとも、前記胴本体の外周面に固定される第１の固定ベースと、前記第１の固定ベースに移動自在に取付けられる移動ベースと、前記移動ベースを前記第１の固定ベースに対して移動させることにより、前記スナッピーを前記ドラムヘッドに対して接触または離間させるスイッチ機構と、前記スナッピー側に設けられ、前記スナッピーの一端側に設けられている可動性を有する連結部材を挟持する第１、第２の挟持部材とを備え、前記第１の挟持部材に挟持締結部とベース固定部とを設け、前記ベース固定部を前記移動ベースに対して着脱可能に固定したものである。
【００１１】
第２の発明は、ドラムの胴本体の外周面の対向する位置に取付けられる第１、第２のストレイナーによってスナッピーをドラムヘッドに対して選択的に接触離間させるストレイナー装置において、前記第２のストレイナーは、少なくとも、前記胴本体の外周面に固定される第２の固定ベースと、前記スナッピー側に設けられ、前記スナッピーの他端側に設けられている可撓性を有する連結部材を挟持する第１、第２の挟持部材とを備え、前記第１の挟持部材に挟持締結部とベース固定部とを設け、前記ベース固定部を前記固定ベースに対して着脱可能に固定したものである。
【００１２】
第３の発明は、前記第１または第２の発明において、第１の挟持部材の挟持締結部にスナッピーの連結部材が挿通される挿通孔と、係止溝を形成し、第２の挟持部材に前記連結部材を押圧し前記係止溝内に固定する押圧部を一体に突設したものである。
【００１３】
第４の発明は、前記第１の発明において、第１のストレイナーは、スナッピーの張力を調節する張力調節装置を備え、前記張力調節装置による移動ベースの移動調節量を示す目盛を前記移動ベースに表示したものである。
【００１４】
第５の発明は、前記第１〜４のうちのいずれか１つの発明において、第１の挟持部材のベース固定部と移動ベースもしくは第２の固定ベースに互いに嵌合する位置決め用の凹凸部を設けたものである。
【発明の効果】
【００１５】
第１、第２の発明においては、ドラムヘッドの交換時に第１の挟持部材のベース固定部を移動ベースまたは第２の固定ベースから外すだけで、第１、第２の挟持部材によるスナッピーの連結部材の挟持状態を一時解除する必要がない。したがって、ドラムヘッドの交換作業が容易で、スナッピーの挟持部材との位置による張力調節を不要にする。また、予め、スナッピーの各連結部材に第１、第２の挟持部材を取付けておき、スナッピー自体を交換するとき、第１、第２の挟持部材毎交換することができるので、スナッピーの交換作業も簡単かつ容易である。
第３の発明においては、第２の挟持部材の押圧部によってスナッピーの連結部材を押圧して係止溝に固定するようにしているので、連結部材が第１、第２の挟持部材から外れるのを確実に防止することができる。
第４の発明においては、移動ベースの移動調節量を目盛によって知ることにより、ストレイナー装置による張力のおおよその調節加減を知ることができる。
第５の発明においては、装着時に凹凸部の嵌合によって第１の挟持部材を移動ベースもしくは第２の固定ベースに対して位置決めでき、離脱時の脱落を防止することができる。また、挟持部材が回転しなくなるので、ボルト、ねじ等の締結手段１本で着脱することができる。
【発明を実施するための最良の形態】
【００１６】
以下、本発明を図面に示す実施の形態に基づいて詳細に説明する。
図１は本発明に係る第１のストレイナーにスナッピーの可動側端部を連結した状態におけるスネアドラムの要部の斜視図、図２は同スナッピーの可動側端部と第１のストレイナーとの連結状態を解除した状態を示す要部の斜視図、図３は同第１のストレイナーの主要構成部材の分解斜視図、図４（ａ）、（ｂ）、（ｃ）は同第１のストレイナーの正面図、Ａ−Ａ線断面図および底面図である。図５（ａ）、（ｂ）、（ｃ）は第２のストレイナーを示す平面図、背面図および側面図、図６は同第２のストレイナーにスナッピーの固定側端部を連結した状態におけるスネアドラムの要部の斜視図、図７はスナッピーの固定側端部と第２のストレイナーとの連結状態を解除した状態を示す要部の斜視図である。なお、以下の説明においては、ストレイナーの上下方向を、ドラムの演奏時とは無関係にスネアドラム１の表面側ドラムヘッドを下、裏面側ドラムヘッド３を上にした状態における上下方向と一致させて説明する。また、図３は紙面の大きさの制約から構成部材を水平な状態にして示している。さらに、本発明においては、図１〜図４に示す第１のストレイナー２０と、図５〜図７に示す第２のストレイナー９０とによって、スナッピー７を裏面側ドラムヘッド３に対して選択的に接触離間させるストレイナー装置を構成している。
【００１７】
前記スナッピー７は、図８に示した従来のスナッピー７と同一構造で、長手方向と直交する方向に所定の間隔をおいて並設された複数本の細い響線１１と、これら響線１１の各端部がそれぞれ半田２２によって固定された左右一対のスナッピープレート１２と、各スナッピープレート１２にそれぞれ取付けられた可撓性を有する連結部材１３とで構成されている。連結部材１３は、適宜な長さを有する細い紐またはワイヤからなり、中央部がスナッピープレート１２の各端部に形成した挿通孔２３にそれぞれ挿通されて連結されている。
【００１８】
図１〜図４において、前記第１のストレイナー２０は、スナッピー７の可動側端部７Ａを裏面側ドラムヘッド３に対して選択的に接触または離間させるもので、前記胴本体２の外周面に固定された第１の固定ベース２６を備えている。第１の固定ベース２６は合成樹脂等によって細長い直方体に形成され、胴本体２の外周面に密接する背面の両端部にナット２７がそれぞれ埋設されており、これらのナット２７に止めねじ２８を胴本体２の内側からねじ込むことにより第１の固定ベース２６を胴本体２の外周面に、その長手方向を胴本体２の軸線方向と一致させて固定している。
【００１９】
前記第１の固定ベース２６の表面側には移動ベース３０が取付けられ、一側には前記移動ベース３０を第１の固定ベース２６の長手方向に進退させるスイッチ機構３４が取付けられている。
【００２０】
前記移動ベース３０は、金属製で背面および下方に開放する半円筒形の本体部３０Ａと、この本体部３０Ａの先端面に一体に設けられた固定部３０Ｂと、前記本体部３０Ａの両側部にそれぞれ一体に設けられた左右一対の張出部３０Ｃとで構成され、背面開口部に平面視コ字状のカバープレート３５が３本の止めねじ３６によって固定されている。カバープレート３５の左右両側部は、第１の固定ベース２６の左右両側面に一体に突設したガイド部３７の裏面に摺動自在に接触している。すなわち、カバープレート３５は、ガイド部３７の裏面を案内面として摺動するものである。
【００２１】
前記スイッチ機構３４は、前記移動ベース３０を前記第１の固定ベース２６に対して進退移動させ前記スナッピー７の可動側端部７Ａを裏面側ドラムヘッド３に対して接触または離間させるためのもので、操作レバー４１と、リンク４２とで構成されている。操作レバー４１は、上端が前記第１の固定ベース２６の上部に埋設した固定軸４０によって左右方向に回動自在に枢支され、下端部が移動ベース３０の一側下方に延在している。
【００２２】
前記リンク４２は、上端が前記操作レバー４１の高さ方向中間部の一側にリンク軸４３を介して回動自在に連結され、下端が前記第１の固定ベース２６の内部下方に組み込まれた調整軸４４によって回動自在に枢支されている。前記調整軸４４は、前記第１の固定ベース２６の外面および内面に形成した上下方向に長い長孔４６ａ，４６ｂをスライド自在に貫通しており、先端部が第１の固定ベース２６の前方に突出して前記移動ベース３０の本体部３０Ａ内に挿入されている。また、この調整軸４４の先端部には、前記スナッピー７の響線１１の張力を調節する張力調節装置１８が摺動自在に貫通する貫通孔４７が形成されている。張力調節装置１８はねじで構成されている（以下、張力調節用ねじという）。
【００２３】
前記移動ベース３０の内部で前記調整軸４４より上方には、前記張力調節用ねじ１８の先端部が螺合するナット４８が組み込まれている。このナット４８は、移動ベース３０の内部に突設した上下に対向する一対の隔壁５０ａ，５０ｂ間に上下方向の移動を許容されて配置されており、かつフリクションスプリング５１によって下側の隔壁５０ｂに圧接されることにより遊動を防止されている。また、下側の隔壁５０ｂと前記調整軸４４の先端部間にも圧縮コイルばね５３が弾装されており、これによって調整軸４４を下方に付勢し上下方向の遊動を防止している。
【００２４】
前記移動ベース３０の本体部３０Ａの表面下部には、前記調整軸４４の先端面を視認可能にする縦長の長窓５５が開設されており、この長窓５５の両脇には、前記張力調節用ねじ１８の回転移動による移動ベース３０の移動調整量を示す目盛（線）５６が表示されている。張力調節用ねじ１８を手で回転操作すると、ナット４８は張力調節用ねじ１８に対して前進または後退し、前進時に上側の隔壁５０ａを押圧することにより移動ベース３０を前進させ、後退時に下側の隔壁５０ｂを押圧することにより移動ベース３０を後退させる。このときの移動ベース３０の移動調節量は、長窓５５より調整軸４４の先端面を視認し、目盛５６が調整軸４４に対してどの程度移動したかによって知ることができ、この移動ベース３０の移動調節量に比例してスナッピー７の響線１１の張力が変化する。なお、本実施の形態において、移動ベース３０をスライド機構によって移動させるように構成したが、その他公知の技術を使用してもよい。また、スイッチ機構３４においても、レバー機構とリンク機構を用いたが、他の機構であってもよい。すなわち、ストレイナーのスナッピー接離のスイッチ機構は問わない。
【００２５】
前記移動ベース３０の固定部３０Ｂは、本体部３０Ａの上面に設けた平面視台形状の板部６０と、この板部６０の上面に一体に突設された嵌合部６１とで構成されている。嵌合部６１は、平面視凸型に形成されることにより、角柱部６１ａと、この角柱部６１ａの両側面の前後方向中間部に左右対称な形状に一体に連設された平面視Ｌ字状からなる一対の脚部６１ｂとで構成されている。角柱部６１ａの前面中央にはねじ孔６３が形成されている。左右一対の脚部６１ｂの前面上部には位置決め用の凸部６４がそれぞれ突設されている。
【００２６】
前記移動ベース３０の固定部３０Ｂには、前記スナッピー７の可動側端部７Ａの連結部材１３を後述する第２の挟持部材７１とともに挟持する第１の挟持部材７０が着脱自在に取付けられている。この第１の挟持部材７０は、図３に示すように前記移動ベース３０の固定部３０Ｂに対して上方または前方から嵌合し固定されるベース固定部７０Ａと、このベース固定部７０Ａに一体に設けられ前記第２の挟持部材７１とともに前記連結部材１３を挟持する挟持締結部７０Ｂとで構成されている。前記ベース固定部７０Ａは、その内面が前記固定部３０Ｂに嵌合し得る形状に形成され、また内面には前記一対の凸部６４が嵌合する小さな凹部６６が形成されている。また、ベース固定部７０Ａの前面中央には下端に開放する逆Ｕ字状の長孔７５が形成されており、この長孔７５に締付け角ボルト７４をワッシャ等を介して挿通して前記移動ベース３０の固定部３０Ｂのねじ孔６３にねじ込むと、第１の挟持部材７０のベース固定部７０Ａが固定部３０Ｂに対して着脱可能に固定される。前記長孔７５の周辺形状は、固定部３０Ｂの形状の形状に対応する形となって嵌合しており、前後左右に動かないので、ボルト７４は１本で固定に足りる。
【００２７】
前記第１の挟持部材７０の挟持締結部７０Ｂは、横長板状に形成され、両端部付近が連結部材１３を挟持する部分であり、かつ第２の挟持部材７１を固定するための締付け角ボルト７７が取付けられる締結部分である。このため、前記締付け角ボルト７７がそれぞれねじ込まれるねじ孔７８が形成され、その内側に左右一対の係止溝８０が挟持締結部７０Ｂの全幅にわたって延在するように形成されている。さらに各係止溝８０の溝底面で前記嵌合部７０Ａ寄りには、前記スナッピー７の連結部材１３の端部が挿通される２つの挿通孔８１が挟持締結部７０Ｂの裏面側にそれぞれ開口するように形成されている。また、挟持締結部７０Ｂの前面中央には左右方向に長い挿通孔８２が形成されている。この挿通孔８２は、スナッピー７の連結部材１３として紐やワイヤの代わりにテープやベルト等の帯状材を使用した場合に帯状材を挿通するために用いられるものである。すなわち、第１の挟持部材７０は、連結部材１３が紐またはワイヤ等の紐材と帯状材の場合に共用されるものである。
【００２８】
前記第２の挟持部材７１は、前記第１の挟持部材７０の挟持締結部７０Ｂと略同一長さの細長い板体に形成され、両端部付近が第１の挟持部材７０と同様に挟持締結部分を構成し、前記締付け角ボルト７７がそれぞれ挿通されるボルト取付用孔８４が表裏面に貫通して形成されている。さらに、第２の挟持部材７１の裏面側には、前記スナッピー７の連結部材１３を押圧し前記第１の挟持部材７０の各係止溝８０内に固定する左右一対の押圧部８５が一体に突設されている。押圧部８５は、第２の挟持部材７１の長手方向と直交する突条体で構成されている。前記連結部材１３は、前記第１の挟持部材７０の挿通孔８１に挿通され係止溝８０に係入されている。それに対して、第２の挟持部材７１の押圧部８５が係止溝８０に係合し、連結部材１３を押圧している。
【００２９】
図５〜図７において、前記第２のストレイナー９０は、胴本体２の外周面で前記第１のストレイナー２０の第１の固定ベース２６と対向する位置に固定された第２の固定ベース９１と、前記スナッピー７の固定側端部７Ｂ側の連結部材１３を挟持する第１、第２の挟持部材９２，９３とで構成されている。前記第２の固定ベース９１は、胴本体２の外周面で前述した第１のストレイナー２０から周方向に１８０°離間した位置に固定されている。また、第２の固定ベース９１は、矩形柱状で、先端部が前記移動ベース３０の固定部３０Ｂと同一形状の凸状に形成されることにより、前記第１の挟持部材９２のベース固定部９２Ａが嵌合し得る固定部９１Ａ部を形成している。さらに、この固定部９１Ａの先端面中央には、前記第１の挟持部材９２のベース固定部９２Ａを固定するための締付け角ボルト９４が螺合するねじ孔が形成されている。
【００３０】
前記第１、第２の挟持部材９２，９３は、図３に示した第１のストレイナー２０の第１、第２の挟持部材７０，７１と全く同一形状である。このため、第１の挟持部材９２のベース固定部９２Ａは前記第２の固定ベース９１の固定部９１Ａに前記締付け角ボルト９４によって着脱可能に固定され、第２の挟持部材９３は第１の挟持部材９２の挟持締結部９２Ｂに対して２本の締付け角ボルト９５によって同じく着脱可能に固定される。なお、第１、第２の挟持部材９２，９３についてのこれ以上の詳細な説明は省略する。
【００３１】
このような第１、第２のストレイナー２０，９０からなるストレイナー装置を備えたスネアドラム１において、スナッピー７を裏面側ドラムヘッド３に対して接触させないで演奏するときは、第１のストレイナー２０の操作レバー４１を固定軸４０（図４（ｂ））を中心として図４（ａ）において実線の状態から２点鎖線で示すように時計方向に所定角度（例えば、４８°）回動させる。操作レバー４１が時計方向に回動すると、リンク軸４３は図４（ａ）において左斜め上方に引き上げられるため、リンク４２も引き上げられ、調整軸４４が長溝４６ａ，４６ｂに沿って移動する。このため、張力調節用ねじ１８と移動ベース３０は、調整軸４４と一体に上昇（図１においては下降）する。この場合、図１に示すように、裏面側ドラムヘッド３を下方にした状態においては、第１のストレイナー２０が下方を向いているため、操作レバー４１を操作すると移動ベース３０は下降してスナッピー７の可動側端部７Ａを引き下げ緊張状態から解放する。したがって、スナッピー７は自重によって垂れ下がって裏面側ドラムヘッド３から離間し、もってスネアドラム１がスナッピー７を使用しない演奏状態に切り替えられる。
【００３２】
このような状態から操作レバー４１を反時計方向に回動させて図４（ａ）の実線で示す位置に復帰させると、移動ベース３０は元の高さ位置に引き上げられてスナッピー７を緊張させ、裏面側ドラムヘッド３に接触させる。したがって、スネアドラム１はスナッピー７を使用しない演奏状態から使用する演奏状態に切り替えられる。
【００３３】
スナッピー７の張力（響線１１の張力）を微調整する際には、張力調節用ねじ１８を手で回して調節すればよい。すなわち、張力調節用ねじ１８を図４において締付け方向（時計方向）に回転させると、ナット４８は張力調節用ねじ１８に沿って図４（ｂ）において下方に引き下げられ、下側の隔壁５０ｂを押圧する。このため、移動ベース３０もナット４８と一体に下降してスナッピー７の可動側端部７Ａを引き下げ、響線１１の張力を増大させる。反対に、張力調節用ねじ１８を図４において緩み方向（反時計方向）に回転させると、ナット４８が張力調節用ねじ１８に対して前進して上側の隔壁５０ａを押圧する。このため、移動ベース３０が上昇してスナッピー７に近づき、響線１１の張力を減少させる。響線１１の張力がどの程度変化したかは、移動ベース３０が調整軸４４に対してどの程度移動したかを移動ベース３０の目盛５６によって見ることにより知ることができる。
【００３４】
裏面側ドラムヘッド３を他のドラムヘッドと交換する際には、先ず第１のストレイナー２０の締付け角ボルト７４を緩めて第１の挟持部材７０を第１の挟持部材７０のＵ字状の長孔７５からスライドさせて抜き取るように移動ベース３０の固定部３０Ｂから外す。さらに、第２のストレイナー９０の締付け角ボルト９４を緩めて同様に第１の挟持部材９２を第２の固定ベース９１から外す。そして、スナッピー７を各端部に第１、第２の挟持部材７０，７１がついたままの状態でスネアドラム１から外して裏面側ドラムヘッド３を別のドラムヘッドと交換する。このドラムヘッドの交換は、通常通りフープ４を外して行われる。
【００３５】
裏面側ドラムヘッド３を別のドラムヘッドと交換した後、再度スナッピー７をスネアドラム１に装着する場合は、上記とは反対に第１のストレイナー２０の移動ベース３０の固定部３０Ｂに第１の挟持部材７０のベース固定部７０Ａを嵌合した後、締付け角ボルト７４を締め付けて第１の挟持部材７０を移動ベース３０の固定部３０Ｂに固定する。さらに、第２のストレイナー９０の第２の固定ベース９１の固定部９１Ａに第１の挟持部材９２のベース固定部９２Ａを嵌合した後、締付け角ボルト９４を締め付けて第１の挟持部材９２を第２の固定ベース９１に固定すればよい。
【００３６】
このように、第１、第２のストレイナー２０，９０の第１の挟持部材７０，９２のみを移動ベース３０と第２の固定ベース９１から外すだけで、第２の挟持部材７１，９３については第１の挟持部材７０，９２から外す必要がないので、裏面ドラムヘッド３の交換作業時におけるスナッピー７の取り扱いが容易で、裏面側ドラムヘッド３の交換作業を容易かつ短時間に行うことができる。
また、第２の挟持部材７１，９３を外す必要がないので、スナッピー７をスネアドラム１に再装着した際、スナッピー７と挟持部材７０，７１との調整、すなわち大きな張力調節も不要である。
【００３７】
なお、上記した実施の形態においては、スナッピー７の各端部に設けられる可撓性の連結部材１３として紐またはワイヤを用いた例について説明したが、本発明はこれに何ら限定されるものではなく、第１の挟持部材７０の長孔８２に挿通可能な幅を有するベルトを用いてもよい。また、その場合には、ベルトを長孔８２に押し込む突条体（押圧部）を第２の挟持部材７１の裏面側に予め一体に突設しておけばよい。
【図面の簡単な説明】
【００３８】
【図１】本発明に係る第１のストレイナーにスナッピーの可動側端部を連結した状態におけるスネアドラムの要部の斜視図である。
【図２】同スナッピーの可動側端部と第１のストレイナーとの連結状態を解除した状態を示す要部の斜視図である。
【図３】同第１のストレイナーの主要構成部材の分解斜視図である。
【図４】（ａ）、（ｂ）、（ｃ）は同第１のストレイナーの正面図、Ａ−Ａ線断面図および底面図である。
【図５】（ａ）、（ｂ）、（ｃ）は第２のストレイナーを示す平面図、背面図および側面図である。
【図６】同第２のストレイナーにスナッピーの固定側端部を連結した状態におけるスネアドラムの要部の斜視図である。
【図７】スナッピーの固定側端部と同第２のストレイナーとの連結状態を解除した状態を示す要部の斜視図である。
【図８】裏面側のドラムヘッドに対してスナッピーを装着した従来のスネアードラムを示す外観斜視図である。
【図９】スナッピーのストレイナーに対する取付構造を示す分解斜視図である。
【符号の説明】
【００３９】
１…スネアドラム、２…胴本体、３…裏面側のドラムヘッド、７…スナッピー、８…第１のストレイナー、９…第２のストレイナー、１１…響線、１２…スナッピープレート、１３…連結部材、１７…スイッチ機構、１８…張力調節用ねじ、２０…第１のストレイナー、２６…第１の固定ベース、３０…移動ベース、３０Ｂ…固定部、５６…目盛、６４…凸部、６６…凹部、７０…第１の挟持部材、７０Ａ…ベース固定部、７０Ｂ…挟持締結部、７１…第２の挟持部材、７４，７７…締付け角ボルト、８０…係止溝、８１…挿通孔、８５…押圧部、９０…第２のストレイナー、９１…第２の固定ベース、９１Ａ…固定部、９２…第１の挟持部材、９２Ａ…ベース固定部、９２Ｂ…挟持締結部、９３…第２の挟持部材。
【図１】
2005202063.tif 000003
【図２】
2005202063.tif 000004
【図３】
2005202063.tif 000005
【図４】
2005202063.tif 000006
【図５】
2005202063.tif 000007
【図６】
2005202063.tif 000008
【図７】
2005202063.tif 000009
【図８】
2005202063.tif 000010
【図９】
2005202063.tif 000011